(57)【要約】【課題】  加熱ヒータにより加熱された定着ローラと、加圧ローラとの間に記録媒体を通紙して、記録媒体上のトナー像を定着する定着装置において、小幅サイズの記録媒体を連続して通紙したときも、定着ローラの軸線方向各端部領域の温度が過度に上昇することを防止する。【解決手段】  定着ローラ３と加圧ローラとの間に小幅サイズの記録媒体Ｐ２を通過させるとき、サーミスタ６によって検知される定着ローラ３の中央領域ＣＡの温度が、トナー像の定着に適した温度であって、目標温度よりも低い温度となる電力を加熱ヒータ５に供給する。【選択図】  図３
2005242266.tif 000002
【特許請求の範囲】
【請求項１】
定着部材と、該定着部材に対向して配置された相手部材と、前記定着部材を加熱する加熱手段と、前記定着部材の表面温度を検知する温度検知手段とを具備し、定着すべきトナー像を担持した記録媒体を、そのトナー像が前記定着部材に接触する向きにして、該定着部材と相手部材との間を通過させて該トナー像を記録媒体に定着する定着装置であって、前記定着部材と相手部材との間に最小幅サイズの記録媒体を通過させたときにその記録媒体に接触する定着部材の軸線方向領域を定着部材の中央領域と称することにしたとき、トナー像の定着動作時に、前記定着部材の中央領域の温度がトナー像の定着に適した所定の目標温度となるように、前記温度検知手段の検知結果に基づいて、前記加熱手段への通電を制御する定着装置において、
前記定着部材と相手部材との間に最大幅サイズよりも小さな幅サイズの記録媒体を通過させるとき、前記温度検知手段によって検知される前記定着部材の中央領域の温度がトナー像の定着に適した温度であって前記目標温度よりも低い温度となる電力を前記加熱手段に供給することを特徴とする定着装置。
【請求項２】
最大幅サイズの記録媒体よりも小さな幅サイズの記録媒体に形成されたトナー像を定着するのに必要な最小の電力をＷＭ、前記加熱手段への実際の供給電力をＷＲとしたとき、１＜ＷＲ／ＷＭ＜１．６となるように、供給電力ＷＲを設定する請求項１に記載の定着装置。
【請求項３】
加熱手段の軸線方向中央領域における発熱量はほぼ一定となり、該加熱手段の軸線方向各端部領域における発熱量は、該加熱手段の軸線方向中央領域における発熱量よりも高くなるように加熱手段を構成し、最小幅サイズの記録媒体の幅をＬ１、前記加熱手段の軸線方向各端部領域における発熱量よりも低い発熱量となる加熱手段部分の長さをＬ２としたとき、Ｌ２／Ｌ１＜０．９６となるように長さＬ２を設定した請求項１又は２に記載の定着装置。
【請求項４】
請求項１乃至３のいずれかに記載の定着装置を具備して成る画像形成装置。
【発明の詳細な説明】
【技術分野】
【０００１】
本発明は、定着部材と、該定着部材に対向して配置された相手部材と、前記定着部材を加熱する加熱手段と、前記定着部材の表面温度を検知する温度検知手段とを具備し、定着すべきトナー像を担持した記録媒体を、そのトナー像が前記定着部材に接触する向きにして、該定着部材と相手部材との間を通過させて該トナー像を記録媒体に定着する定着装置であって、前記定着部材と相手部材との間に最小幅サイズの記録媒体を通過させたときにその記録媒体に接触する定着部材の軸線方向領域を定着部材の中央領域と称することにしたとき、トナー像の定着動作時に、前記定着部材の中央領域の温度がトナー像の定着に適した所定の目標温度となるように、前記温度検知手段の検知結果に基づいて、前記加熱手段への通電を制御する定着装置、及びその定着装置を有する画像形成装置に関するものである。
【背景技術】
【０００２】
電子複写機、プリンタ、ファクシミリ或いはこれらの複合機などとして構成される画像形成装置に採用される上記形式の定着装置は従来より周知である。かかる定着装置においては、定着部材と相手部材との間に小幅サイズの記録媒体を連続して通過させると、定着部材の軸線方向各端部領域には記録媒体が接触せず、その各端部領域の熱が記録媒体によって持ち去られないため、定着部材の各端部領域の温度が、定着部材の中央領域の温度に比べて過度に上昇する。この状態で、次に幅広サイズの記録媒体を定着部材と相手部材との間に通過させて、トナー像の定着動作を行うと、温度が過度に上昇した定着部材の各端部領域が記録媒体上のトナー像に接触するので、そのトナーが溶融して定着部材の表面に移行するおそれがある所謂ホットオフセット現象が発生するのである。かかる現象が発生すると、定着部材に移行したトナーが再び記録媒体に付着して、その記録媒体をトナーで汚す不具合を免れない。
【０００３】
上記欠点を除去するため、定着部材と相手部材との間に小幅サイズの記録媒体を連続して通過させる際、その枚数に応じて、段階的に定着部材の目標温度を下げるようにした定着装置が提案されている（特許文献１参照）。この定着装置によれば、定着部材と相手部材との間に小幅サイズの記録媒体を連続して通過させたとき、定着部材の軸線方向各端部領域の温度が過度に上昇する不具合を防止することができるが、定着部材の目標温度を下げる必要があるため、トナーに充分な熱を与えることができず、トナー像の定着不良が発生するおそれがある。
【０００４】
そこで、定着部材と相手部材との間に小幅サイズの記録媒体を連続して通過させるときも、定着部材の目標温度を変えず、その代わり定着部材と相手部材の間に通過させる小幅サイズの記録媒体の枚数を少なくし、定着部材の軸線方向各端部領域の温度が過度に上昇することを防止した定着装置も公知である。ところが、この構成によると、定着処理できる記録媒体の枚数が少なくなり、記録媒体の生産性が低下する欠点を免れない。
【０００５】
【特許文献１】特公平５−５１１２号公報
【発明の開示】
【発明が解決しようとする課題】
【０００６】
本発明の目的は、上述した従来の欠点を除去した冒頭に記載した形式の定着装置と、その定着装置を有する画像形成装置を提供することにある。
【課題を解決するための手段】
【０００７】
本発明は、上記目的を達成するため、冒頭に記載した形式の定着装置において、前記定着部材と相手部材との間に最大幅サイズよりも小さな幅サイズの記録媒体を通過させるとき、前記温度検知手段によって検知される前記定着部材の中央領域の温度がトナー像の定着に適した温度であって前記目標温度よりも低い温度となる電力を前記加熱手段に供給することを特徴とする定着装置を提案する（請求項１）。
【０００８】
また、上記請求項１に記載の定着装置において、最大幅サイズの記録媒体よりも小さな幅サイズの記録媒体に形成されたトナー像を定着するのに必要な最小の電力をＷＭ、前記加熱手段への実際の供給電力をＷＲとしたとき、１＜ＷＲ／ＷＭ＜１．６となるように、供給電力ＷＲを設定すると有利である（請求項２）。
【０００９】
さらに、上記請求項１又は２に記載の定着装置において、加熱手段の軸線方向中央領域における発熱量はほぼ一定となり、該加熱手段の軸線方向各端部領域における発熱量は、該加熱手段の軸線方向中央領域における発熱量よりも高くなるように加熱手段を構成し、最小幅サイズの記録媒体の幅をＬ１、前記加熱手段の軸線方向各端部領域における発熱量よりも低い発熱量となる加熱手段部分の長さをＬ２としたとき、Ｌ２／Ｌ１＜０．９６となるように長さＬ２を設定すると有利である（請求項３）。
【００１０】
また、本発明は、上記目的を達成するため、請求項１乃至３のいずれかに記載の定着装置を具備して成る画像形成装置を提案する（請求項４）。
【発明の効果】
【００１１】
本発明によれば、小幅サイズの記録媒体を定着部材と相手部材との間に連続して通過させて、その記録媒体上のトナー像を定着したときも、定着部材の軸線方向各端部領域の温度が過度に上昇することを防止できる。
【発明を実施するための最良の形態】
【００１２】
以下、本発明の実施形態例を図面に従って詳細に説明する。
【００１３】
図１は画像形成装置の概略を示す垂直断面図であり、その本体３１内には、像担持体の一例であるドラム状の感光体３５が配置され、この感光体３５が時計方向に回転するとき、帯電装置３６により感光体表面が所定の極性に帯電される。その帯電面に、露光装置の一例であるレーザ書き込みユニット３７から出射する光変調されたレーザビームＬが照射され、これによって感光体表面に静電潜像が形成される。この静電潜像は現像装置３８によってトナー像として可視像化され、そのトナー像は、給紙装置３３から給送された記録媒体Ｐ上に、転写装置３９の作用により転写される。トナー像転写後の感光体表面に付着する転写残トナーはクリーニング装置４０により除去される。
【００１４】
給紙装置３３は、例えば樹脂シート又は転写紙などから成る記録媒体Ｐを収容したカセット４１を有し、給送ローラ４２の回転によって、最上位の記録媒体Ｐがカセット４１から送り出され、その送り出された記録媒体はレジストローラ対４３の回転によって、感光体３５と転写装置３９との間の転写位置に給送され、ここで、前述のように感光体３５上のトナー像が記録媒体上に転写される。トナー像が転写された記録媒体は、引き続き定着装置１を通り、このとき、熱と圧力の作用により記録媒体上のトナー像が記録媒体に定着される。定着装置１を通過した記録媒体は、機外の排紙トレイ４４上に排出される。
【００１５】
図２は定着装置１の拡大横断面図であり、図３はこの定着装置１の縦断面図である。ここに示した定着装置１は、定着部材の一例である定着ローラ３と、この定着ローラ３に対向して配置された相手部材の一例である加圧ローラ４とを有している。これらのローラ３，４は互いに平行に延び、加圧ローラ４が定着ローラ３に対して圧接した状態で、その各ローラ３，４が図２に矢印Ｘ，Ｙで示した方向にそれぞれ回転駆動される。
【００１６】
また、この定着装置１は、定着部材を加熱する加熱手段と、この定着部材の表面温度を検知する温度検知手段とを有している。図示した例では、定着部材を構成する定着ローラ３が中空に形成され、その内部に、加熱ヒータ５より成る加熱手段が配置されている。ここでは、加熱ヒータ５としてハロゲンヒータランプが用いられている。また、本例の温度検知手段は、定着ローラ３の表面に当接したサーミスタ６により構成されている。
【００１７】
加熱ヒータ５により加熱された定着ローラ３と加圧ローラ４が図２に矢印Ｘ，Ｙで示した方向にそれぞれ回転し、かかる定着ローラ３と加圧ローラ４との間に、定着すべきトナー像Ｔを担持した記録媒体Ｐが通過する。このとき、トナー像Ｔが定着ローラ３の表面に接触し、そのトナー像Ｔのトナーに熱と圧力が加えられ、該トナー像Ｔが記録媒体Ｐ上に定着される。定着すべきトナー像を担持した記録媒体を、そのトナー像が定着部材に接触する向きにして、該定着部材と相手部材との間を通過させて該トナー像を記録媒体に定着するのである。
【００１８】
上述した定着装置１によって、異なった幅サイズの記録媒体に担持されたトナー像を定着することができる。図３には、Ｗ１で示した広幅サイズを有する記録媒体Ｐ１と、Ｗ２で示した小幅サイズを有する記録媒体Ｐ２が示されており、そのいずれの記録媒体Ｐ１，Ｐ２も、定着ローラ３と加圧ローラ４の間に通過させ、その記録媒体に担持されたトナー像を定着することができる。
【００１９】
ここで、定着部材の一例である定着ローラ３と、相手部材の一例である加圧ローラ４との間に最小幅サイズの記録媒体Ｐ２を通過させたときに、その記録媒体Ｐ２に接触する定着部材の軸線方向領域を定着部材の中央領域と称することにする。この例では、定着部材が定着ローラ３より成るので、図３に示すように、定着ローラ３と加圧ローラ４との間に最小幅サイズの記録媒体Ｐ２を通紙したときに、その記録媒体Ｐ２が接触する定着ローラ３の軸線方向領域が、その定着ローラ３の中央領域ＣＡである。サーミスタ６は、定着ローラ３の中央領域ＣＡの表面に接触してその中央領域ＣＡの表面温度を検知する。
【００２０】
上述のようにして、トナー像の定着動作時に、定着ローラ３の中央領域ＣＡの表面温度がトナー像の定着に適した所定の目標温度となるように、サーミスタ６の検知結果に基づいて、加熱ヒータ５への通電のオン、オフが制御される。図示した例では、定着ローラ３の目標温度が１７０℃に設定され、定着ローラ３の表面温度が１７０℃となるように、加熱ヒータ５への通電のオン、オフ、すなわち加熱ヒータ５への電流の供給時間を制御する。このように、トナー像の定着動作時に、定着部材の中央領域の温度がトナー像の定着に適した所定の目標温度となるように、温度検知手段の検知結果に基づいて、加熱手段への通電を制御するのである。
【００２１】
ここで、図３に示した小幅サイズの記録媒体Ｐ２を多数枚連続して定着ローラ３と加圧ローラ４との間に通紙したとき、定着ローラ３の中央領域ＣＡの温度は、ほぼ目標温度に保たれるが、定着ローラ３の軸線方向各端部領域ＥＡには記録媒体Ｐ２が接触しないので、この端部領域ＥＡの温度が、中央領域ＣＡの温度よりも高くなる。このため、従来の定着装置においては、小幅サイズの記録媒体を多数枚通紙した後に、幅広サイズの記録媒体を定着ローラと加圧ローラの間に通紙して定着動作を行うと、その記録媒体に担持されたトナー像が、高温度となった定着ローラの各端部領域に接したとき、そのトナーが定着ローラの周面に移行するホットオフセット現象が発生するおそれがあった。
【００２２】
図４は、ｔ１の時点から、定着ローラ３と加圧ローラ４の間に、小幅サイズの記録媒体Ｐ２を連続して通紙し始めたときの定着ローラ３の表面温度の一例を示すグラフである。一点鎖線Ｃと点線Ｄは、加熱ヒータ５に５５０Ｗの電力を供給したときの定着ローラ３の中央領域ＣＡと各端部領域ＥＡの温度をそれぞれ示している。これに対し、実線Ａと破線Ｂは、加熱ヒータ５に３５０Ｗの電力を供給したときの定着ローラ３の中央領域ＣＡと各端部領域ＥＡの温度をそれぞれ示している。
【００２３】
時点ｔ１よりも前の時期においては、サーミスタ６による温度検知制御により、定着ローラ３の温度は、いずれの場合もほぼ目標温度（１７０℃）に保たれる。これに対し、小幅サイズの記録媒体Ｐ２を連続して通紙すると、加熱ヒータ５に５５０Ｗの電力を供給した場合、定着ローラ３の中央領域ＣＡの温度は、一点鎖線Ｃから判るように、ほぼ目標温度１７０℃に保たれるが、定着ローラ３の各端部領域ＥＡの温度は、点線Ｄから判るように、２２０℃にまで上昇する。定着ローラ３の各端部領域ＥＡの温度がこのように高温度となると、次に広幅サイズの記録媒体Ｐ１を定着ローラ３と加圧ローラ４との間に通紙して、トナー像の定着動作を行った場合、高温度となった各端部領域ＥＡが記録媒体Ｐ１上のトナーに過度の熱を与えるため、溶融したトナーが定着ローラ３の各端部領域ＥＡの周面に移行する。これが従来の定着装置において発生していたホットオフセット現象である。
【００２４】
ところが、小幅サイズの記録媒体Ｐを連続して定着ローラ３と加圧ローラ４の間に通紙した場合でも、加熱ヒータ５に供給する電力を３５０Ｗに下げると、定着ローラ３の各端部領域ＥＡの温度は破線Ｂから判るように、最高でほぼ２１０℃となる。このような温度であれば、次に広幅サイズの記録媒体Ｐ１を定着ローラ３と加圧ローラ４の間に通紙してトナー像の定着動作を行っても、トナーが定着ローラ３の表面に移行するホットオフセット現象の発生を防止することができる。
【００２５】
上述のように加熱ヒータ５に３５０Ｗの電力を供給したときも、サーミスタ６は定着ローラ３の中央領域ＣＡの温度を検知し、その検知結果に基づいて、定着ローラ３の中央領域ＣＡの温度が目標温度１７０℃となるように、加熱ヒータ５への通電が制御されるが、加熱ヒータ５への供給電力が３５０Ｗと低いため、定着ローラ３の中央領域ＣＡの実際の温度は、実線Ａから判るように、目標温度１７０℃よりもやや低いほぼ１６０℃の温度に保たれる。このように、定着ローラ３の中央領域ＣＡの実際の温度が、目標温度１７０℃よりも多少低くなっても、１６０℃ほどの温度であれば、トナー像を支障なく記録媒体Ｐ２に定着することができる。
【００２６】
上述したところから判るように、定着ローラ３と加圧ローラ４との間に最大幅サイズよりも小さな幅サイズの記録媒体Ｐ２を通過させて、その記録媒体Ｐ２に担持されたトナー像を定着するとき、サーミスタ６によって検知される定着ローラ３の中央領域ＣＡの温度が、トナー像の定着に適した温度ではあるが、目標温度（この例では、１７０℃）よりも低い温度（この例では、ほぼ１６０℃）となる電力（図４の例では３５０Ｗ）を加熱ヒータ５に供給することによって、定着ローラ３の軸線方向各端部領域ＥＡの温度が従来のように過度に上昇することを防止できる。定着ローラ３の中央領域ＣＡの温度が目標温度となるように加熱ヒータ５への通電を制御するのであるが、実際の中央領域ＣＡの温度が、トナー像の定着に適し、かつ目標温度よりも低くなるような電力を加熱ヒータ５に供給するのである。かかる構成を採用することにより、定着ローラ３の各端部領域ＥＡの温度が過度に上昇しないので、次に幅広サイズの記録媒体Ｐ１を定着ローラ３と加圧ローラ４の間に通紙してトナー像の定着動作を行ったとき、トナーが定着ローラ３の表面に移行するホットオフセット現象の発生を防止できる。かかる事実は、多くの実験によって確認されている。また、小幅サイズの記録媒体Ｐ２の連続通紙時に、その枚数に応じて目標温度を下げなくともよく、しかもその通紙枚数を大幅に少なくする必要もない。
【００２７】
幅広サイズの記録媒体Ｐ１を定着ローラ３と加圧ローラ４の間に通して、その記録媒体Ｐ１に担持されたトナー像を定着するときは、従来と同様に、加熱ヒータ５に、例えば７５０Ｗの電力を供給し、定着ローラ３の温度が目標温度（１７０℃）となるように、加熱ヒータ５への通電を制御する。これにより、定着ローラ３の中央領域ＣＡと、各端部領域ＥＡの実際の温度を、ほぼ１７０℃に保つことができる。
【００２８】
図２に示すように、定着ローラ３の内部に３５０Ｗずつの２本の加熱ヒータ５を設け、幅広サイズの記録媒体Ｐ１を定着ローラ３と加圧ローラ４の間に通紙するときは、２本の加熱ヒータ５，５に通電して、その全体の電力を７００Ｗとし、小幅サイズの記録媒体Ｐ２を通紙するときは、一方の加熱ヒータ５だけを点灯して、その電力を３５０Ｗにすることができる。或いは、１本の加熱ヒータだけを設け、この加熱ヒータへの供給電流を調整して供給電力を制御することもできる。
【００２９】
より具体的な例を示すと、Ａ４サイズの記録媒体を縦搬送して最大幅サイズの記録媒体Ｐ１とし、Ａ５サイズの記録媒体を縦搬送して最小幅サイズの記録媒体Ｐ２とした場合、最大幅サイズの記録媒体Ｐ１の通紙時に、目標温度を１７０℃とし、加熱ヒータ５に７００Ｗの電力を供給して、１分間に２５ページのプリントが可能である。一方、最小幅サイズの記録媒体Ｐ２の通紙時に、加熱ヒータ５に３５０Ｗの電力を供給すれば、目標温度が１７０℃のままで、１分間に３３ページ通紙しても、定着ローラ３の各端部領域ＥＡの温度をほぼ２１０℃に保つことが可能である。
【００３０】
ところで、上述した構成を採用して、小幅サイズの記録媒体Ｐ２を通紙したときに、その記録媒体Ｐ２上のトナー像を確実に定着し、しかも次に幅広サイズの記録媒体Ｐ１を通紙したときの定着ローラ３へのホットオフセット現象の発生を阻止するための条件は、次のようにして定めることもできる。
【００３１】
最大幅サイズの記録媒体Ｐ１よりも小さな幅サイズの記録媒体Ｐ２に形成されたトナー像を定着するのに必要な最小の電力をＷＭ、ヒータ５より成る加熱手段への実際の供給電力をＷＲとしたとき、１＜ＷＲ／ＷＭ＜１．６となるように、実際の供給電力ＷＲを設定するのである。この事実は、多くの実験によって明らかとなっている。
【００３２】
ところで、定着ローラ３は、その各端部が図には示していない軸受を介して定着装置の支持フレームに回転自在に支持されているので、定着ローラ３の各端部の熱がその軸受を通して外部に放出される。従って、図５に示すように、加熱ヒータ５の軸線方向中央領域ＨＣにおける発熱量がほぼ一定となるようにし、しかも加熱ヒータ５の軸線方向各端部領域ＨＥにおける発熱量が、その加熱ヒータ５の軸線方向中央領域ＨＣにおける発熱量よりも高くなるように加熱ヒータ５を構成することが好ましい。このようにすれば、幅広の記録媒体Ｐ１を定着ローラ３と加圧ローラ４の間に通過させて、その記録媒体Ｐ１上のトナー像を定着するとき、定着ローラ３の軸線方向各端部領域の温度がその中央領域の温度よりも大きく低下することを阻止でき、記録媒体上のトナー像を全体に亘って確実に定着することができる。
【００３３】
ところが、加熱ヒータ５の発熱分布を図５に示したように設定すると、小幅サイズの記録媒体Ｐ２を定着ローラ３と加圧ローラ４の間に通紙してその記録媒体Ｐ２上のトナー像を定着するとき、前述の構成を採用しても、定着ローラ３の軸線方向各端部領域ＥＡの温度が過度に上昇してしまうおそれがある。
【００３４】
そこで、加熱ヒータ５の発熱分布を図５に示したように設定した場合には、前述の各構成を採用すると共に、最小幅サイズの記録媒体Ｐ２の幅をＬ１とし、加熱ヒータ５より成る加熱手段の軸線方向各端部領域ＨＥにおける発熱量よりも低い発熱量となる加熱手段部分ＨＡの長さをＬ２としたとき、Ｌ２／Ｌ１＜０．９６となるように長さＬ２を設定することが好ましい。このようにすれば、最小幅サイズの記録媒体Ｐ２を連続して定着ローラ３と加圧ローラ４の間に通して、その記録媒体Ｐ２上のトナー像を定着するとき、その記録媒体Ｐ２の幅方向各端部Ｓ１，Ｓ２が、定着ローラ３の高温度となった部分を通るので、この部分の熱を記録媒体Ｐ２が持ち去ることになり、これによって定着ローラ３の各端部領域ＥＡの温度が過度に上昇する不具合を阻止できる。上記式の０．９６は、多くの実験により確かめられた値である。
【００３５】
以上、定着部材が定着ローラ３より成り、その相手部材が加圧ローラ４より成る定着装置１に本発明に係る構成を適用した例を示したが、本発明は、この形式以外の各種形式の定着装置にも採用できるものである。図６はその一例を示す。ここに示した定着装置１Ａは、定着部材が無端状の定着ベルト３Ａによって構成され、この定着ベルト３Ａは、定着装置の支持フレームに回転自在に支持されたガイドローラ７と加熱ローラ８に巻き掛けられて矢印Ｘ方向に回転駆動される。かかる定着ベルト３Ａに対向して、加圧ローラ４Ａとして構成された相手部材が配置され、この加圧ローラ４Ａは定着ベルト３Ａに圧接しながら矢印Ｙ方向に回転駆動される。加熱ローラ８の内部には、定着ベルト３Ａを加熱する加熱手段の一例である加熱ヒータ５Ａが配置され、定着ベルト３Ａの表面には、その定着ベルト３Ａの表面温度を検知する温度検知手段の一例であるサーミスタ６Ａが配置されている。この場合も、定着すべきトナー像Ｔを担持した記録媒体Ｐを、そのトナー像Ｔが定着ベルト３Ａより成る定着部材に接触する向きにして、該定着ベルト３Ａと相手部材の一例である加圧ローラ４Ａとの間を通過させて該トナー像Ｔを記録媒体Ｐに定着する。その際、定着ベルト３Ａと加圧ローラ４Ａとの間に最小幅サイズの記録媒体Ｐ２を通過させたときに、その記録媒体Ｐ２に接触する定着ベルト３Ａの軸線方向領域を定着ベルト（定着部材）の中央領域と称することにしたとき、トナー像の定着動作時に、定着部材の中央領域の温度がトナー像の定着に適した所定の目標温度となるように、サーミスタ６Ａの検知結果に基づいて、加熱ヒータ５Ａへの通電を制御する。かかる定着装置１Ａにも、前述の各構成をそれぞれ適用することができる。すなわち、定着ベルト３Ａと加圧ローラ４Ａとの間に最大幅サイズよりも小さな幅サイズの記録媒体Ｐ２を通過させるとき、サーミスタ６Ａによって検知される定着ベルト３Ａの中央領域の温度が、トナー像の定着に適した温度であって、前述の目標温度よりも低い温度となる電力を加熱ヒータ５Ａに供給するのである。前述の他の構成も、図６に示した定着装置１Ａに適用できることは明らかである。
【図面の簡単な説明】
【００３６】
【図１】画像形成装置の一例を示す概略図である。
【図２】図１に示した定着装置の拡大横断面図である。
【図３】図２に示した定着装置の縦断面図である。
【図４】小幅サイズの記録媒体を連続して通紙したときの定着ローラの中央領域の温度と各端部領域の温度を示すグラフである。
【図５】加熱ヒータの発熱量の分布と、小幅サイズの記録媒体の幅との関係を示す図である。
【図６】定着装置の他の例を示す概略横断面図である。
【符号の説明】
【００３７】
１，１Ａ  定着装置
Ｐ，Ｐ１，Ｐ２  記録媒体
Ｔ  トナー像
【図１】
2005242266.tif 000003
【図２】
2005242266.tif 000004
【図３】
2005242266.tif 000005
【図４】
2005242266.tif 000006
【図５】
2005242266.tif 000007
【図６】
2005242266.tif 000008